(57)【要約】      （修正有）【課題】操作者による把持態様に拘わらず、安定的に把持しながら測色ボタンを押下することが可能なハンドヘルド測色計を提供する。【解決手段】ハンドヘルド測色計1は、測色用の窓部ＷＤ１が配されている底面部１Ｂｓを含み且つ窓部ＷＤ１の法線に沿った長手方向を有する本体部２を備えている。ここで、本体部２が、第１側面部と、該第１側面部とは反対側の第２側面部とを有している。また、第１側面部および第２側面部が、それぞれ本体部の長手方向に沿って延在する２本の凸部２Ｐｂを有している。そして、第１側面部において、２本の凸部２Ｐｂの間における把持用領域のうちの少なくとも一部の領域に掛かる位置に測色ボタン２６ｍが配されている。【選択図】図２
2016090537.tif 000002
【特許請求の範囲】
【請求項１】
測色用の窓部が配されている底面部を含み且つ前記窓部の法線に沿った長手方向を有する本体部を備え、
前記本体部が、
第１側面部と、該第１側面部とは反対側の第２側面部とを有し、
前記第１側面部および前記第２側面部が、
それぞれ前記本体部の長手方向に沿って延在する２本の凸部を有し、
前記第１側面部において、前記２本の凸部の間における把持用領域のうちの少なくとも一部の領域に掛かる位置に測色ボタンが配されていることを特徴とするハンドヘルド測色計。
【請求項２】
請求項１に記載のハンドヘルド測色計であって、
前記第１側面部および前記第２側面部のうちの少なくとも一方の側面部が、
前記把持用領域に配されている滑り止め部をさらに有することを特徴とするハンドヘルド測色計。
【請求項３】
請求項１または請求項２に記載のハンドヘルド測色計であって、
前記本体部を、前記長手方向に、上部領域、中部領域および下部領域の３領域に仮想的に区分けした場合に、前記把持用領域が、前記下部領域から前記上部領域にかけて配されており、
前記測色ボタンが、
前記中部領域に配されていることを特徴とするハンドヘルド測色計。
【請求項４】
請求項１または請求項２に記載のハンドヘルド測色計であって、
前記本体部を、前記長手方向に、上部領域、中部領域および下部領域の３領域に仮想的に区分けした場合に、前記把持用領域が、前記下部領域から前記中部領域にかけて配されており、
前記測色ボタンが、
前記中部領域に配されていることを特徴とするハンドヘルド測色計。
【請求項５】
請求項１または請求項２に記載のハンドヘルド測色計であって、
前記本体部を、前記長手方向に、上部領域、中部領域および下部領域の３領域に仮想的に区分けした場合に、前記第１側面部および前記第２側面部が、前記上部領域において、前記２本の凸部が延在する延在方向に対して交差する方向に伸びる指掛かり部をさらに有することを特徴とするハンドヘルド測色計。
【請求項６】
請求項１から請求項５の何れか１つの請求項に記載のハンドヘルド測色計であって、
前記第１側面部と前記第２側面部とが、前記法線を含む対称面を基準として、面対称の関係を有することを特徴とするハンドヘルド測色計。
【発明の詳細な説明】
【技術分野】
【０００１】
本発明は、ハンドヘルド測色計に関する。
【背景技術】
【０００２】
従来、表面に色彩を有する工業製品については、同じ色の製品を出荷するために、色の管理を行う必要がある。この色の管理を行う装置としては、色を測定する測色計が知られており、広く利用されている。
【０００３】
ところで、測色計の一種として、測色計に対して測色動作等を開始させるための操作ボタン（測色ボタンとも言う）が配された分光分析装置が提案されている（例えば、特許文献１等）。このような装置では、測色対象物に対して装置を押し当てながら、測色ボタンを押下する必要がある。このため、装置の安定的な把持と、測色ボタンの押下のし易さとを両立させる必要がある。そこで、測色計の筐体に指を掛けるグリップ部が配された構成が考えられる。
【先行技術文献】
【特許文献】
【０００４】
【特許文献１】特開２００７−２５５９１８号公報
【発明の概要】
【発明が解決しようとする課題】
【０００５】
しかしながら、上記特許文献１の技術では、測色時における測色計と操作者の手との位置関係、およびグリップと測色ボタンとの位置関係によって、測色計が把持される姿勢が制約される。例えば、右手で測色計を把持しながら測色ボタンを押下する動作は容易であるが、左手で測色計を把持しながら測色ボタンを押下する動作は難しい場合がある。このように、操作者による把持態様によっては、測色ボタンの押下が容易である場合と、測色ボタンの押下が困難である場合とが存在する。
【０００６】
本発明は、上記課題に鑑みてなされたものであり、操作者による把持態様に拘わらず、安定的に把持しながら測色ボタンを押下することが可能なハンドヘルド測色計を提供することを目的とする。
【課題を解決するための手段】
【０００７】
上記課題を解決するために、第１の態様に係るハンドヘルド測色計は、測色用の窓部が配されている底面部を含み且つ前記窓部の法線に沿った長手方向を有する本体部を備え、前記本体部が、第１側面部と、該第１側面部とは反対側の第２側面部とを有し、前記第１側面部および前記第２側面部が、それぞれ前記本体部の長手方向に沿って延在する２本の凸部を有し、前記第１側面部において、前記２本の凸部の間における把持用領域のうちの少なくとも一部の領域に掛かる位置に測色ボタンが配されている。
【０００８】
第２の態様に係るハンドヘルド測色計は、第１の態様に係るハンドヘルド測色計であって、前記第１側面部および前記第２側面部のうちの少なくとも一方の側面部が、前記把持用領域に配されている滑り止め部をさらに有する。
【０００９】
第３の態様に係るハンドヘルド測色計は、第１または第２の態様に係るハンドヘルド測色計であって、前記本体部を、前記長手方向に、上部領域、中部領域および下部領域の３領域に仮想的に区分けした場合に、前記把持用領域が、前記下部領域から前記上部領域にかけて配されており、前記測色ボタンが、前記中部領域に配されている。
【００１０】
第４の態様に係るハンドヘルド測色計は、第１または第２の態様に係るハンドヘルド測色計であって、前記本体部を、前記長手方向に、上部領域、中部領域および下部領域の３領域に仮想的に区分けした場合に、前記把持用領域が、前記下部領域から前記中部領域にかけて配されており、前記測色ボタンが、前記中部領域に配されている。
【００１１】
第５の態様に係るハンドヘルド測色計は、第１または第２の態様に係るハンドヘルド測色計であって、前記本体部を、前記長手方向に、上部領域、中部領域および下部領域の３領域に仮想的に区分けした場合に、前記第１側面部および前記第２側面部が、前記上部領域において、前記２本の凸部が延在する延在方向に対して交差する方向に伸びる指掛かり部をさらに有する。
【００１２】
第６の態様に係るハンドヘルド測色計は、第１から第５の何れか１つの態様に係るハンドヘルド測色計であって、前記第１側面部と前記第２側面部とが、前記法線を含む対称面を基準として、面対称の構成を有する。
【発明の効果】
【００１３】
第１から第６の何れの態様に係るハンドヘルド測色計によっても、操作者による把持態様に拘わらず、安定的に測色計を把持しながら測色ボタンを押下することが出来る。
【００１４】
第２の態様に係るハンドヘルド測色計によれば、さらに安定的に測色計が把持され得る。
【００１５】
第３および第４の何れの態様に係るハンドヘルド測色計によっても、例えば、測色計の長手方向の中心近傍に本体部の重心が位置する場合に、測色計の長手方向の中央部近傍が把持されるため、安定的に測色計が把持され得る。
【００１６】
第５の態様に係るハンドヘルド測色計によれば、操作者の姿勢に拘わらず、測色計が把持され易く、測色も実行し易い。
【００１７】
第６の態様に係るハンドヘルド測色計によれば、種々の方向から測色計が把持され易く、測色も実行し易い。
【図面の簡単な説明】
【００１８】
【図１】一実施形態に係る測色計の外観を例示する正面図である。
【図２】一実施形態に係る測色計の外観を例示する一方の側面図である。
【図３】一実施形態に係る測色計の外観を例示する他方の側面図である。
【図４】一実施形態に係る測色計の外観を例示する背面図である。
【図５】一実施形態に係る測色計の外観を例示する上面図である。
【図６】一実施形態に係る測色計の把持態様を例示する図である。
【図７】一実施形態に係る測色計の把持態様を例示する図である。
【図８】一実施形態に係る測色計の機能的な構成を例示する図である。
【図９】一実施形態に係る測色計の把持態様を例示する図である。
【図１０】一実施形態に係る測色計の把持態様を例示する図である。
【図１１】一実施形態に係る測色計の把持態様を例示する図である。
【図１２】一実施形態に係る測色計の把持態様を例示する図である。
【図１３】一実施形態に係る測色計の把持態様を例示する図である。
【図１４】一実施形態に係る測色計の把持態様を例示する図である。
【図１５】参考例に係る測色計の把持態様を例示する図である。
【図１６】参考例に係る測色計の把持態様を例示する図である。
【図１７】参考例に係る測色計の把持態様を例示する図である。
【図１８】参考例に係る測色計の把持態様を例示する図である。
【図１９】参考例に係る測色計の把持態様を例示する図である。
【図２０】参考例に係る測色計の把持態様を例示する図である。
【図２１】参考例に係る測色計の把持態様を例示する図である。
【図２２】参考例に係る測色計の把持態様を例示する図である。
【図２３】一実施形態に係る測色ボタンの配設態様を例示する図である。
【図２４】測色ボタンの配設態様のバリエーションを例示する図である。
【図２５】測色ボタンの配設態様のバリエーションを例示する図である。
【図２６】測色ボタンの配設態様のバリエーションを例示する図である。
【図２７】一実施形態に係る測色ボタンの配設態様を例示する図である。
【図２８】一実施形態に係る測色計の操作態様を例示する図である。
【図２９】一実施形態に係る測色計の操作態様を例示する図である。
【図３０】把持用領域の配設態様のバリエーションを例示する図である。
【図３１】一実施形態に係る測色計の操作態様を例示する図である。
【図３２】一実施形態に係る測色計の操作態様を例示する図である。
【発明を実施するための形態】
【００１９】
以下、本発明の一実施形態ならびに各種変形例について図面を用いて説明する。図面においては同様な構成および機能を有する部分については同じ符号が付されており、下記説明では重複説明が省略される。図面は模式的に示されたものであり、各図における各種構造のサイズおよび位置関係等は適宜変更され得る。図１から図７および図９から図３２には、測色計１の長手方向（図１の図面視上方向）を＋Ｚ方向とする右手系のＸＹＺ座標系が付されている。
【００２０】
＜(１)測色計の外観構成＞
図１から図５は、一実施形態に係る携帯式の測色計（ハンドヘルド測色計とも言う）１の外観の一例を示す図である。具体的には、図１は、一実施形態に係るハンドヘルド測色計（以下、単に「測色計」と略称する）１の外観を例示する正面図である。図２は、一実施形態に係る測色計１の一方の側面の外観を例示する側面図である。図３は、一実施形態に係る測色計１の他方の側面の外観を例示する側面図である。図４は、一実施形態に係る測色計１の背面の外観を例示する背面図である。図５は、一実施形態に係る測色計１の上面の外観を例示する上面図である。
【００２１】
図１から図５で示されるように、測色計１は、本体部２とマスク部材３とを備えている。
【００２２】
本体部２は、筐体部２ＢＤならびに該筐体部２ＢＤの表面に設けられて外部に露出している表示部２４および操作部２６を有している。筐体部２ＢＤは、例えば、本体部２の外装部分を構成している。本実施形態では、筐体部２ＢＤは、＋Ｚ方向が長手方向である略直方体状の形状を有する。そして、該筐体部２ＢＤの素材として、例えば、プラスチックス等が採用されることで、筐体部２ＢＤについての設計の自由度、軽量化および製造コストの低減等が図られ得る。
【００２３】
表示部２４は、測色計１の各種条件ならびに該測色計１による測色結果等を可視的に出力する。操作部２６は、例えば、操作者による操作に応じて、測色計１における測色動作の起動および実行を行うための指令、ならびに測色計１における測色演算に係る条件を設定するための指令を行う。なお、操作部２６には、例えば、測色動作を起動させるボタン（起動ボタンとも言う）２６ａ、および測色対象物についての測色動作を実行させるボタン（測色ボタンとも言う）２６ｍ等が含まれる。
【００２４】
また、図１から図４で示されるように、測色計１では、本体部２の先端部２Ｔｐに対して、照明受光部２３（図８）を覆うようにマスク部材３が装着される。
【００２５】
マスク部材３は、本体部２の先端部２Ｔｐに装着される部材である。具体的には、マスク部材３は、測色対象物の測色が行われる際に、本体部２の先端部２Ｔｐに装着されており、例えば、測色対象物に接触させられる。また、マスク部材３は、マスク本体部３ＢＤおよび装着部３ＡＴを有している。
【００２６】
マスク本体部３ＢＤには、測色対象物のうちの測色の対象となる領域（測色対象領域とも言う）のサイズを規定する窓部が設けられている。なお、マスク部材３は、例えば、ターゲットマスク等とも称される。該窓部としては、例えば、ＸＹ断面が略円形のものが採用され得る。該窓部は、例えば、貫通孔であっても良いし、光を透過させる透明部分であっても良い。そして、該窓部は、マスク部材３が本体部２に装着された状態（装着状態とも言う）において本体部２の先端部２Ｔｐに設けられた測色用の窓部ＷＤ１と光学的に連通することで窓部が形成される。ここで、窓部ＷＤ１は、ＸＹ平面に沿った面状の部分であり、例えば、真円状の形状を有する。該窓部ＷＤ１の法線は、Ｚ方向に沿って延在し、筐体部２ＢＤが、窓部ＷＤ１の法線に沿った長手方向（ここでは、Ｚ方向）を有している。
【００２７】
つまり、本体部２は、測色用の窓部ＷＤ１が配されている底面部１Ｂｓを含み、且つ窓部ＷＤ１の法線に沿った長手方向を有している。
【００２８】
ところで、測色計１による測色対象物を対象とした測色動作が行われる際には、マスク部材３と測色対象物とを密着させた状態で、測色ボタン２６ｍを操作して、測色動作を実行させる必要がある。ここで、マスク部材３と測色対象物とが密着されていなければ、測色のために光源部２３１から発せられる光が測色対象物に対して適切に照射されず、測色計１の外部からの光（外光）の影響も受けて、測色結果に誤差が生じ得る。そこで、測色ボタン２６ｍの操作によって、窓部ＷＤ１と測色対象物とを密着させておいた状態が不安定になってはならない。
【００２９】
上記構成により、測色計１による測色対象物を対象とした測色動作が行われる際には、測色対象物にマスク部材３が押し当てられるため、例えば、本体部２の長手方向が、測色対象物の法線に沿った方向と一致する。なお、測色対象物にマスク部材３が押し当てられる際に、本体部２の長手方向が、測色対象物の法線に対して、例えば、１０〜２０度程度傾けられても、マスク部材３は安定して測色対象物に押し当てられ得る。すなわち、測色計１によって測色動作が行われる際には、測色対象物の表面を基準として、本体部２が縦長の姿勢に保持される。
【００３０】
装着部３ＡＴは、マスク部材３を本体部２の一端部としての先端部２Ｔｐに装着するための部分である。そして、マスク部材３は、本体部２に対する装着および脱着（着脱とも言う）が可能な構成を有している。
【００３１】
また、図２および図３で示されるように、本体部２は、−Ｘ側の第１側面部２Ｓｆと、該第１側面部２Ｓｆとは反対側の第２側面部２Ｓｓとを有する。そして、第１側面部２Ｓｆおよび第２側面部２Ｓｓには、それぞれ本体部２の長手方向（ここでは、Ｚ方向）に沿って延在する２本の凸部２Ｐａ，２Ｐｂが配されている。これらの２本の凸部２Ｐａ，２Ｐｂは、例えば、それぞれ概ね直線状に形成されており、相互に略平行に配置される。
【００３２】
また、凸部２Ｐａと凸部２Ｐｂとの間の領域が、本体部２を把持するための領域（把持用領域とも言う）２Ａｈとして機能する。ここで、本実施形態では、第１側面部２Ｓｆおよび第２側面部２Ｓｓにおいて、それぞれ本体部２の長手方向に沿って、把持用領域２Ａｈとしての凹部が延在している。そして、第１側面部２Ｓｆにおいては、測色ボタン２６ｍが、把持用領域２Ａｈのうちの少なくとも一部の領域に掛かる位置に配されている。
【００３３】
このような構成により、例えば、図６および図７において手Ｈｄ１の外縁が太線で描かれているように、把持用領域２Ａｈの縁に配されている凸部２Ｐａ，２Ｐｂに指が掛けられながら、本体部２が把持され得る。そして、第１側面部２Ｓｆにおいては、測色ボタン２６ｍが配置される。そして、図７で示されているように、例えば、凸部２Ｐａに掛けられていない指（例えば、人指し指）で、測色ボタン２６ｍを押下することができる。これにより、安定的に本体部２を把持しながら測色ボタン２６ｍを押下することが出来る。
【００３４】
また、ここで、２本の凸部２Ｐａ，２Ｐｂは、例えば、それぞれ概ね直線状に形成されており、相互に略平行に配置されている。これにより、操作者による手指の長短および掌の大小に応じて、本体部２を種々の態様で把持することが出来る。すなわち、本体部２の操作者による把持態様の自由度が高まり得る。そして、測色ボタン２６ｍの操作に応じて測色動作が実施される際に、測色ボタン２６ｍを操作する指以外の指を、２本の凸部２Ｐａ，２Ｐｂの何れかに掛けることができるため、本体部２が安定して把持され得る。これにより、測色計１による測色結果が安定し得る。
【００３５】
また、図２および図３で示されるように、第１側面部２Ｓｆおよび第２側面部２Ｓｓが、それぞれ、Ｚ方向の上部の領域において、２本の凸部２Ｐａ，２Ｐｂが延在する方向（延在方向とも言う）に対して交差する方向に伸びる指掛かり部２Ｐｃをさらに有している。これにより、本体部２の姿勢と操作者の手Ｈｄ１との位置関係に拘わらず、本体部２が様々な姿勢で保持され易く、測色動作が精度良く実行され易い。指掛かり部２Ｐｃは、２本の凸部２Ｐａ，２Ｐｂと同種の形状である凸部を有していれば良い。なお、本実施形態では、把持用領域２Ａｈとしての凹部が、凸部２Ｐａ，凸部としての指掛かり部２Ｐｃおよび凸部２Ｐｂによってこの順に三方から囲まれている。
【００３６】
ところで、例えば、第１側面部２Ｓｆおよび第２側面部２Ｓｓのうちの少なくとも一方の側面部において、把持用領域２Ａｈに滑り止め部が配されていれば、さらに安定的に本体部２が把持され得る。ここで、滑り止め部は、例えば、摩擦係数が高い素材あるいは摩擦係数が高まる表面性状を有する部分によって構成され得る。摩擦係数が高い素材としては、例えば、ゴムおよびエラストマー等が挙げられる。また、摩擦係数が高まる表面性状を有する部分は、例えば、表面加工によってシボが形成された面（シボ面とも言う）および表面加工によって形成された菱形の格子状の面（ダイヤ面とも言う）等によって構成され得る。
【００３７】
＜(２)測色計の機能的な構成＞
図８は、一実施形態に係る本体部２の機能的な構成を例示するブロック図である。
【００３８】
図８で示されるように、本体部２は、制御部２１、記憶部２２、照明受光部２３、表示部２４、給電部２５および操作部２６を備えている。
【００３９】
記憶部２２は、不揮発性の記憶媒体等によって構成され、例えば、プログラムＰ１およびデータ群Ｄ１を記憶する。データ群Ｄ１には、例えば、測色演算の条件に係るデータ（条件データとも言う）および校正データ等が含まれている。校正データには、例えば、マスク部材３の種類に応じた複数の校正データが含まれている。各校正データは、照明受光部２３のセンサー部２３２で得られるデータから、測色結果のデータ（測色結果データとも言う）としての測色対象物の色に係るデータを算出する演算（測色演算とも言う）で用いられる。プログラムＰ１およびデータ群Ｄ１は、例えば、本体部２の製造段階から出荷段階における何れかのタイミングにおいて、記憶部２２に記憶され得る。
【００４０】
照明受光部２３は、積分球２３０、光源部２３１およびセンサー部２３２を有している。本実施形態では、本体部２は、該本体部２の−Ｚ方向の一端部としての先端部２Ｔｐの近傍において、積分球２３０を含む照明受光部２３を内蔵している。
【００４１】
積分球２３０は、光をほぼ完全に拡散反射（乱反射）する硫酸バリウム等の白色塗料が内面に塗布された中空の球状体である。また、積分球２３０は、例えば、第１〜３窓部を有している。第１窓部は、積分球２３０の内部空間を外部空間に光学的に露出させる窓部ＷＤ１である。なお、該内部空間を外部空間に光学的に露出させる態様には、第１窓部を貫通孔とする態様、および第１窓部が光を透過させる透明な部分で構成される態様等が含まれ得る。第２窓部は、光源部２３１からの光を積分球２３０内に照射させる。第３窓部は、測色対象物から第１窓部を経て内部空間に入射される光をセンサー部２３２まで導く小窓である。ここで、センサー部２３２は、光源部２３１から発せられる光が直接入射されず、且つ第３窓部を介して積分球２３０の内部に露出している。
【００４２】
光源部２３１は、制御部２１の発光制御部２１４の制御に応じて発光する。ここでは、光源部２３１で発せられる光は、第２窓部および第１窓部を順に介して測色対象物の表面に照射される。なお、第１窓部としては、例えば、ＸＹ断面が略円形のものが採用され得る。
【００４３】
センサー部２３２は、測色対象物からの光を第１窓部および第３窓部を順に介して受光する。具体的には、センサー部２３２では、光源部２３１によって照明される測色対象物の表面で発せられて積分球２３０内に入射される光が受光される。ここで、測色対象物の表面では、例えば、反射および蛍光の何れか一方の現象によって光が発せられ得る。また、センサー部２３２は、例えば、受光した光を分光する分光部と、該分光部から出射される各波長の光をそれぞれ受光する複数の光電変換素子とを有している。このため、センサー部２３２では、受光した光における各波長の光の強度に応じたデータが取得される。該データは、例えば、アナログ信号からデジタル信号へ変換され、読出部２１５によって読み出される。
【００４４】
表示部２４は、例えば、液晶ディスプレイ等を備えて構成されており、各種情報を可視的に出力する。
【００４５】
給電部２５は、例えば、バッテリー等を有しており、本体部２の全体に対して電力を供給する。
【００４６】
操作部２６は、操作者による各種操作に応じた信号を制御部２１に出力する。操作部２６には、例えば、測色動作を起動させるボタン（起動ボタンとも言う）２６ａ、および測色対象物の測色動作を実行させるボタン（測色ボタンとも言う）２６ｍ等が含まれる。また、操作部２６には、例えば、測色の演算の条件を設定するためのボタンが含まれる。
【００４７】
制御部２１は、中央演算部（ＣＰＵ）および揮発性のメモリー等を有しており、記憶部２２に記憶されているプログラムＰ１を読み込んで実行することで、各種機能を実現する。ここで、制御部２１において機能的に実現される構成には、例えば、起動部２１１、設定部２１２、測色制御部２１３、発光制御部２１４、読出部２１５、演算部２１６、表示制御部２１７および記憶制御部２１８が含まれる。
【００４８】
起動部２１１は、例えば、操作者による電源ボタン２６ａの操作等に応答して、本体部２の電源が入っている状態となる。つまり、測色動作の起動がなされる。これにより、操作者による測色ボタン２６ｍの押下に応答した測色動作の実行が可能な状態となる。
【００４９】
設定部２１２は、例えば、操作者による操作部２６の操作等に応答して、測色演算の条件を設定する。ここで設定される測色演算の条件を示すデータ（測色演算条件データとも言う）は、記憶制御部２１８によって記憶部２２に記憶される。例えば、データ群Ｄ１に、測色演算条件データが含まれ得る。また、設定部２１２は、例えば、操作者による操作部２６の操作等に応答して、表示制御部２１７による各種情報の可視的な出力の条件を設定する。
【００５０】
測色制御部２１３は、例えば、操作者による測色ボタン２６ｍの操作等に応答して、測色対象物の表面の色を測定する動作（測色動作とも言う）を制御する。
【００５１】
発光制御部２１４は、例えば、測色制御部２１３による制御の下で、光源部２３１の発光を制御する。
【００５２】
読出部２１５は、センサー部２３２における受光に応じて得られるデータを適切なタイミングで読み出して、演算部２１６に出力する。
【００５３】
演算部２１６は、読出部２１５から入力されるデータに基づいて、測色結果データとしての測色対象物の色に係るデータを算出する測色演算を行う。ここでは、例えば、センサー部２３２の複数の光電変換素子で得られるデータから、測色対象物の物体色を示すデータが算出され得る。
【００５４】
表示制御部２１７は、表示部２４における各種情報の可視的な出力を制御する。例えば、表示制御部２１７によって、演算部２１６で算出された測色結果データが、表示部２４に可視的に出力され得る。
【００５５】
記憶制御部２１８は、演算部２１６で算出された測色結果データあるいは設定部２１２で設定された測色演算条件データ等を記憶部２２に記憶する。
【００５６】
＜(３)測色計の把持態様＞
ここで、操作者による本体部２の種々の把持態様について説明する。
【００５７】
図６、図７および図９から図１４は、一実施形態に係る本体部２の操作者による把持態様を例示する図である。図６および図７には、表示部２４が配された前面とは逆の背面の側（ここでは＋Ｙ側）から右手で本体部２が把持される一例が示されている。図９および図１０には、表示部２４が配された前面の側（ここでは−Ｙ側）から本体部２が右手で把持される一例が示されている。図１１および図１２には、表示部２４が配された前面の側（ここでは−Ｙ側）から左手で本体部２が把持される一例が示されている。図１３および図１４には、表示部２４が配された前面とは逆の背面の側（ここでは＋Ｙ側）から左手で本体部２が把持される一例が示されている。図６、図７および図９から図１４で示される何れの把持態様においても、安定的に本体部２が把持されながら測色ボタン２６ｍが押下され得る。
【００５８】
図１５から図２２は、参考例に係る測色計１０１に含まれる本体部１０２の把持態様を例示する図である。測色計１０１は、本体部１０２と該本体部１０２の底面部の前方に装着されたマスク部材１０３とを備えている。そして、本体部１０２は、筐体部１０２ＢＤおよび該筐体部１０２ＢＤの一側面に配された測色ボタン１２６ｍを有している。測色対象物に対してマスク部材１０３が押し当てられて測色動作が実行される際には、測色対象物の表面を基準として、本体部１０２が横長の状態で把持される。
【００５９】
上記構成を有する測色計１０１については、図１５および図１６で示されるように、上面の後方の側（ここでは−Ｘ側）から本体部１０２が右手で把持される態様が、容易に把持可能な態様として設計されている。一方、図１７および図１８で示されるように、上面の前方の側（ここでは＋Ｘ側）から本体部１０２が右手で把持される態様では、右手の親指によって測色ボタン２６ｍが押下され得るが、本体部１０２を右手で十分に把持することができない。図１９および図２０で示されるように、上面の後方の側（ここでは−Ｘ側）から本体部１０２が左手で把持される態様では、左手の親指によって測色ボタン２６ｍが押下され得るが、本体部１０２を左手で十分に把持することができない。また、図２１および図２２で示されるように、上面の前方の側（ここでは＋Ｘ側）から本体部１０２が左手で把持される態様では、左手の親指によって測色ボタン２６ｍが押下され得るが、本体部１０２を右手で十分に把持することができない。
【００６０】
このように、図１５から図２２で示されるように、測色計１０１を用いた測色の際には、本体部１０２と操作者の手との位置関係、ならびに本体部１０２のうちの手で把持される部分（把持部とも言う）および測色ボタン１２６ｍの位置によって、本体部１０２の把持態様が制約される。そして、操作者による本体部１０２の把持態様によっては、安定的に本体部１０２を把持しながら測色ボタン１２６ｍを押下することが出来ない。具体的には、図１５および図１６で示される把持態様では、安定的に本体部１０２が把持されながら測色ボタン１２６ｍが押下され得るが、図１７から図２２で示される他の把持態様では、安定的に本体部１０２を把持しながら測色ボタン１２６ｍを押下することが出来ない。
【００６１】
これに対し、図６、図７および図９から図１４で示されるように、本実施形態に係る本体部２の何れの把持態様においても、安定的に測色計１を把持しながら測色ボタン２６ｍを押下することが出来る。すなわち、操作者による本体部２の把持態様に拘わらず、安定的に本体部２を把持しながら測色ボタン２６ｍを押下することが出来る。
【００６２】
また、特に、第１側面部２Ｓｆと第２側面部２Ｓｓとが、窓部ＷＤ１の法線を含む対称面を基準として、面対称の関係を有していれば、種々の方向から本体部２が把持され易く、測色も実行され易い。
【００６３】
＜(４)まとめ＞
以上のように、一実施形態に係る測色計１では、本体部２が測色用の窓部ＷＤ１の法線に沿った長手方向を有し、該本体部２の第１側面部２Ｓｆおよび第２側面部２Ｓｓが、それぞれ本体部２の長手方向に沿って延在する２本の凸部２Ｐａ，２Ｐｂを有し、第１側面部２Ｓｆが、２本の凸部２Ｐａ，２Ｐｂの間における把持用領域２Ａｈのうちの少なくとも一部の領域に掛かる位置に測色ボタン２６ｍが配されている。これにより、操作者による本体部２の把持態様に拘わらず、安定的に本体部２を把持しながら測色ボタン２６ｍを押下することが出来る。
【００６４】
＜(５)変形例＞
なお、本発明は上述の一実施形態に限定されるものではなく、本発明の要旨を逸脱しない範囲において種々の変更、改良等が可能である。
【００６５】
例えば、上記一実施形態では、図２３で示されるように、測色ボタン２６ｍの一部が、２本の凸部２Ｐａ，２Ｐｂの間における把持用領域２Ａｈに掛かっていたが、これに限られない。例えば、図２４で示されるように、測色ボタン２６ｍの一部が把持用領域２Ａｈ内に配された本体部２を含む測色計１が、把持用領域２Ａｈ内に測色ボタン２６ｍＡの全体が配された本体部２Ａを含む測色計１Ａに置換されても良い。
【００６６】
また、上記一実施形態では、図２３で示されるように、測色ボタン２６ｍが略円形であったが、これに限られず、その他の形状を有していても良い。例えば、図２５で示されるように、円形の測色ボタン２６ｍを有する本体部２を含む測色計１が、それ以外の形状としての楕円形の測色ボタン２６ｍＢを有する本体部２Ｂを含む測色計１Ｂに置換される態様が考えられる。また、例えば、測色ボタン２６ｍの形状を変更する代わりに、測色ボタン２６ｍが拡大または縮小される態様が考えられる。例えば、測色ボタン２６ｍを有する本体部２を含む測色計１が、拡大された測色ボタン２６ｍＣを有する本体部２Ｃを含む測色計１Ｃに置換される態様が考えられる。
【００６７】
ところで、上記一実施形態では、図２７で示されるように、本体部２を長手方向に、上部領域２Ｕｐ、中部領域２Ｍｐおよび下部領域２Ｌｐの３領域に仮想的に区分けした場合に、把持用領域２Ａｈが、下部領域２Ｌｐから上部領域２Ｕｐにかけて配されており、測色ボタン２６ｍが、中部領域２Ｍｐに配されていた。このような構成によれば、図２８および図２９で示されるように、本体部２の中部領域２Ｍｐおよびその近傍の領域が操作者によって把持される。このため、左右の手の親指、人指し指および中指等で、容易に操作され得る。なお、本体部２が、例えば、長手方向に３等分されて、上部領域２Ｕｐ、中部領域２Ｍｐおよび下部領域２Ｌｐとされる態様が考えられるが、３等分ではなく、領域間で若干の大小が許容され得る。また、ここでは、本体部２の中部領域２Ｍｐに測色ボタン２６ｍが配されていたが、これに限られず、把持用領域２Ａｈが長手方向に上部、中部および下部の３つの部分に仮想的に区分けされて、中部に測色ボタン２６ｍが配されていても良い。
【００６８】
また、上記一実施形態では、本体部２を長手方向に、上部領域２Ｕｐ、中部領域２Ｍｐおよび下部領域２Ｌｐの３領域に仮想的に区分けした場合に、把持用領域２Ａｈが、下部領域２Ｌｐから上部領域２Ｕｐにかけて配されていたが、これに限られない。例えば、把持用領域２Ａｈが、下部領域２Ｌｐから中部領域２Ｍｐにかけて配されても良い。具体的には、図３０で示されるように、２つの凸部２Ｐａ，２Ｐｂが−Ｚ方向に縮小されて、２つの凸部２ＰａＤ，２ＰｂＤに置換されても良い。このとき、把持用領域２Ａｈが把持用領域２ＡｈＤに置換され、本体部２および測色計１が、それぞれ本体部２Ｄおよび測色計１Ｄに置換され得る。さらに、図３０で示される例では、測色ボタン２６ｍが、中部領域２Ｍｐに配される。これにより、本体部２の中部領域２Ｍｐおよびその近傍の領域が安定的に把持される。また、別の観点から言えば、把持用領域２ＡｈＤが長手方向に上部および下部の２つの部分に仮想的に区分けされて、把持用領域２ＡｈＤのうちの上部に測色ボタン２６ｍが配されていても良い。
【００６９】
また、上記一実施形態では、指掛かり部２Ｐｃが設けられることが説明されたが、ここでは、指掛かり部２Ｐｃについての更に詳細な構成について説明する。本体部２を長手方向に、上部領域２Ｕｐ、中部領域２Ｍｐおよび下部領域２Ｌｐの３領域に仮想的に区分けした場合に、第１側面部１Ｓｆおよび第２側面部１Ｓｓが、上部領域２Ｕｐにおいて、２本の凸部２Ｐａ，２Ｐｂが延在する方向（延在方向とも言う）に対して交差する方向に伸びる指掛かり部２Ｐｃをさらに有している。これにより、上面部側からも本体部２が把持され得る。例えば、図３１で示されるように、一方の手Ｈｄ１が凸部２Ｐａに引っ掛けられ、他方の手Ｈｄ２が指掛かり部２Ｐｃとしての凸部に引っ掛けられて、両手Ｈｄ１，Ｈｄ２によって本体部２が把持される態様が採用され得る。したがって、本体部２の姿勢と操作者の手Ｈｄ１との位置関係に拘わらず、本体部２が様々な姿勢で保持され易く、測色動作が実行され易い。
【００７０】
また、上記一実施形態では、把持用領域２Ａｈとしての凹部の縁が凸部２Ｐａ，２Ｐｂおよび指掛かり部２Ｐｃであったが、これに限られない。例えば、略平面状の第１および第２側面部２Ｓｆ，２Ｓｓにおいて＋Ｚ方向に延在し且つ±Ｘ方向に突起する２つの凸部２ＰａＥ，２ＰｂＥが設けられても良い。また、上部領域２Ｕｐにおいて、２本の凸部２ＰａＥ，２ＰｂＥが延在する延在方向に対して交差する方向に伸びる指掛かり部２ＰｃＥがさらに設けられても良い。例えば、図３２で示されるように、第１側面部２Ｓｆに、レール状の相互に平行な２本の凸部２ＰａＥ，２ＰｂＥが＋Ｚ方向に延在し、指掛かり部２ＰｃＥが＋Ｙ方向に延在する態様が採用されても良い。この場合、２本の凸部２ＰａＥ，２ＰｂＥの間の領域が把持用領域２ＡｈＥである。別の観点から言えば、例えば、把持用領域２ＡｈＥが、凸部２ＰａＥ、指掛かり部２ＰｃＥおよび凸部２ＰｂＥによって、この順で三方から囲まれる。なお、図３２で示される例では、上記変更に伴って、本体部２および測色計１が、本体部２Ｅおよび測色計１Ｅに置換されている。
【００７１】
なお、上記一実施形態および各種変形例をそれぞれ構成する全部または一部を、適宜、矛盾しない範囲で組み合わせ可能であることは、言うまでもない。
【符号の説明】
【００７２】
１，１Ａ，１Ｂ，１Ｃ，１Ｄ，１Ｅ  測色計
１Ｂｓ  底面部
１Ｓｆ  第１側面部
１Ｓｓ  第２側面部
２，２Ａ，２Ｂ，２Ｃ，２Ｄ，２Ｅ  本体部
２Ａｈ，２ＡｈＤ，２ＡｈＥ  把持用領域
２ＢＤ  筐体部
２Ｌｐ  下部領域
２Ｍｐ  中部領域
２Ｐａ，２ＰａＤ，２ＰａＥ，２Ｐｂ，２ＰｂＤ，２ＰｂＥ  凸部
２Ｐｃ，２ＰｃＥ  指掛かり部
２Ｓｆ  第１側面部
２Ｓｓ  第２側面部
２Ｕｐ  上部領域
３  マスク部材
２１  制御部
２２  記憶部
２３  照明受光部
２４  表示部
２５  給電部
２６  操作部
２６ｍ，２６ｍＡ，２６ｍＢ，２６ｍＣ  測色ボタン
２３０  積分球
２３１  光源部
２３２  センサー部
Ｈｄ１，Ｈｄ２  手
ＷＤ１  窓部
【図８】
2016090537.tif 000003
【図１】
2016090537.tif 000004
【図２】
2016090537.tif 000005
【図３】
2016090537.tif 000006
【図４】
2016090537.tif 000007
【図５】
2016090537.tif 000008
【図６】
2016090537.tif 000009
【図７】
2016090537.tif 000010
【図９】
2016090537.tif 000011
【図１０】
2016090537.tif 000012
【図１１】
2016090537.tif 000013
【図１２】
2016090537.tif 000014
【図１３】
2016090537.tif 000015
【図１４】
2016090537.tif 000016
【図１５】
2016090537.tif 000017
【図１６】
2016090537.tif 000018
【図１７】
2016090537.tif 000019
【図１８】
2016090537.tif 000020
【図１９】
2016090537.tif 000021
【図２０】
2016090537.tif 000022
【図２１】
2016090537.tif 000023
【図２２】
2016090537.tif 000024
【図２３】
2016090537.tif 000025
【図２４】
2016090537.tif 000026
【図２５】
2016090537.tif 000027
【図２６】
2016090537.tif 000028
【図２７】
2016090537.tif 000029
【図２８】
2016090537.tif 000030
【図２９】
2016090537.tif 000031
【図３０】
2016090537.tif 000032
【図３１】
2016090537.tif 000033
【図３２】
2016090537.tif 000034